(57)【要約】【課題】メンテナンスの便を図り、またコストを引き下げる等の効果を達成できるエネルギー供給装置を提供する。【解決手段】エネルギー供給装置は、電池収容設置台1、回路板2からなり、電池収容設置台1は相互に対応して設置する２個のケースフレーム10、11を備え、２個のケースフレーム10、11は相互に離れた側の一端に共に、内側へと窪む複数の収容設置槽100、110を形成し、これに電池4を設置し、回路板は２個のケースフレーム10、11間に設置し、２個の回路表面20、21を備え、一方の回路表面20は一方のケースフレーム10と相対し、もう一方の回路表面21はもう一方のケースフレーム11と相対し、しかも２個の回路表面20、21上には共に、２個のケースフレーム10、11の収容設置槽100、110にそれぞれ対応し、導接部品22を設置し、各収容設置槽100、110内に電池4を設置すると、電池4の導接部40と電気的に連接する。【選択図】図１
0003172194.tif 000002
【実用新案登録請求の範囲】
【請求項１】
エネルギー供給装置には、複数の電池を設置し、該電池上には、導接部を備え、電池収容設置台、回路板からなり、
該電池収容設置台は、相互に対応して設置する２個のケースフレームを備え、該２個のケースフレームは、相互に離れた側の一端に共に、内側へと窪む複数の収容設置槽を形成し、該電池を設置し、
該回路板は、該２個のケースフレーム間に設置し、２個の回路表面を備え、一方の該回路表面は、一方の該ケースフレームと相対し、もう一方の該回路表面は、もう一方の該ケースフレームと相対し、
しかも、該２個の回路表面上には、該２個のケースフレームの収容設置槽にそれぞれ対応し、導接部品を設置し、該各収容設置槽内に該電池を設置すると、該電池の導接部と電気的に連接可能であることを特徴とするエネルギー供給装置。
【請求項２】
前記２個のケースフレームは、相互に接続する型態で、該２個のケースフレーム間には、対応接続組合部品を設置したことを特徴とする請求項１に記載のエネルギー供給装置。
【請求項３】
前記２個のケースフレームは、相互に対称を呈したことを特徴とする請求項２に記載のエネルギー供給装置。
【請求項４】
前記対応接続組合部品は、対応接続板、及び複数の螺接部品を備え、しかも該対応接続板は、該２個のケースフレームを跨ぎ上、下任意の側に設置し、該各螺接部品を該対応接続板に通して設置し、該２個のケースフレーム上にそれぞれ螺合して固定したことを特徴とする請求項２或いは３に記載のエネルギー供給装置。
【請求項５】
前記対応接続組合部品は、複数の挿入ピンとそれぞれ相互に対応する複数の挿入孔を備え、しかも該各挿入ピンと該各挿入孔は、該２個のケースフレーム間にそれぞれ位置し、
該２個のケースフレームは、該各挿入ピンを該各挿入孔に通して固定することで、相互に接続され、
該各挿入ピンはさらに、該回路板上までそれぞれ通過したことを特徴とする請求項２或いは３に記載のエネルギー供給装置。
【請求項６】
前記２個のケースフレームは、一体成型の型態で、該２個のケースフレーム間には、直立した板槽を設置し、しかも該回路板は、該板槽内に立てて挿入したことを特徴とする請求項１に記載のエネルギー供給装置。
【請求項７】
前記板槽両側縁には、それぞれ板縁係合溝を設置し、しかも該回路板両側は、該２個の板縁係合溝内に係合したことを特徴とする請求項６に記載のエネルギー供給装置。
【請求項８】
前記２個のケースフレーム上にはさらに、複数の散熱孔を設置したことを特徴とする請求項１に記載のエネルギー供給装置。
【請求項９】
前記２個のケースフレームの相互に近い側の一端には、それぞれガード壁を形成し、該各ガード壁上には、該各収容設置槽にそれぞれ対応し、連接口を設置したことを特徴とする請求項１に記載のエネルギー供給装置。
【請求項１０】
前記回路板上の各導接部品は、コネクターで、該２個のケースフレーム上の各連接口をそれぞれ通過したことを特徴とする請求項９に記載のエネルギー供給装置。
【請求項１１】
前記回路板上の各導接部品は、導接弾性片で、該２個のケースフレーム上の各連接口をそれぞれ通過したことを特徴とする請求項９に記載のエネルギー供給装置。
【請求項１２】
前記２個のケースフレームの任意の同一側には、半枠部をそれぞれ設置し、該２個のケースフレームの同一側の該半枠部は、取り囲んで板形空間を形成したことを特徴とする請求項１に記載のエネルギー供給装置。
【請求項１３】
前記板形空間上は、蓋板により蓋をしたことを特徴とする請求項１２に記載のエネルギー供給装置。
【考案の詳細な説明】
【技術分野】
【０００１】
本考案は電池統合構造に関し、特にエネルギー供給装置に関する。
【背景技術】
【０００２】
現在の電子製品は、電力の供給元として電池に頼っているものが多い。
特に、ポータブル電子製品では、電池はなくてはならない構成部材の一つである。
違った種類、規格の電子製品に該電池を適用可能とし、相互交換、或いは更新の便を図るため、電池のモジュール化はこのところの技術トレンドである。
【０００３】
しかしこれまでは、多数の電池を回路板に統合し電池モジュールとする時、各電池を緊密に重ねて配列するため、中の１個の電池が損壊してもそれを取り出すのは難しかった。
特に、各電池が同一の回路板を共用している状況では、回路全体のメンテナンスが容易でないという問題の他、各電池と回路板の統合において、必要スペースを有効に活用できないため、電池のモジュール化設計に影響を及ぼすという問題もあった。
本考案は、従来の電池モジュール設計の上記した欠点に鑑みてなされたものである。
【先行技術文献】
【特許文献】
【０００４】
【特許文献１】特開２０１０−１３９２３５号公報
【考案の概要】
【考案が解決しようとする課題】
【０００５】
本考案が解決しようとする課題は、枠フレームに類似の構造設計を通して、電池を設置時に任意の１個を抜き取り交換可能とし、メンテナンス、修理等の便を図り、同時に単一回路板の両面に電池を向かい合って挿入する型態を形成し、モジュール全体スペースの使用率を向上させ、こうしてパーツコストを引き下げる等の効果を達成することができるエネルギー供給装置を提供することである。
【課題を解決するための手段】
【０００６】
上記課題を解決するため、本考案は下記のエネルギー供給装置を提供する。
エネルギー供給装置には、複数の電池を設置し、該電池上には、導接部を備え、電池収容設置台、回路板からなり、
該電池収容設置台は、相互に対応して設置する２個のケースフレームを備え、該２個のケースフレームは、相互に離れた側の一端に共に、内側へと窪む複数の収容設置槽を形成し、これに電池を設置し、
該回路板は該２個のケースフレーム間に設置し、２個の回路表面を備え、一方の回路表面は一方のケースフレームと相対し、もう一方の回路表面は、もう一方のケースフレームと相対し、
しかも、該２個の回路表面上には共に、該２個のケースフレームの収容設置槽にそれぞれ対応し、導接部品を設置し、該各収容設置槽内に該電池を設置すると、該電池の導接部と電気的に連接する。
【考案の効果】
【０００７】
本考案のエネルギー供給装置は、枠フレームに類似の構造設計を通して、電池を設置時に任意の１個を抜き取り交換可能とし、メンテナンス、修理等の便を図り、同時に単一回路板の両面に電池を向かい合って挿入する型態を形成し、モジュール全体スペースの使用率を向上させ、こうしてパーツコストを引き下げる等の効果を達成することができる。
【図面の簡単な説明】
【０００８】
【図１】本考案第一実施例の立体分解図である。
【図２】本考案第一実施例の立体組合せ図である。
【図３】本考案第一実施例の組合せ俯視模式図である。
【図４】本考案第二実施例の立体分解図である。
【図５】本考案第三実施例の断面局部拡大模式図である。
【図６】本考案第四実施例の組合せ模式図である。
【図７】本考案第五実施例の組合せ模式図である。
【考案を実施するための形態】
【０００９】
以下に図面を参照しながら本考案を実施するための最良の形態について詳細に説明する。
【実施例】
【００１０】
本考案第一実施例の立体分解図及び立体組合せ図である図１、２に示すように、本考案エネルギー供給装置は、電池収容設置台1、回路板2からなる。
【００１１】
該電池収容設置台1には、複数の電池4を設置でき、相互に対応して設置する２個のケースフレーム10、11を備える。
【００１２】
該２個のケースフレーム10、11は、相互に離れた側の一端に共に、内側へと窪む複数の収容設置槽100、110を形成する。
【００１３】
該各収容設置槽100、110は、２個のケースフレーム10、11内に整列して並び、各式電池4の外観型態に合わせて成型する。
【００１４】
これにより、電池4は、任意のケースフレーム10、11の収容設置槽100、110により、該電池収容設置台1上に設置され、こうして２個のケースフレーム10、11上の電池4の設置方向は相対して挿入する形態を呈する。
【００１５】
該２個のケースフレーム10、11の相互に近い側の一端には、さらにガード壁101、111をそれぞれ形成し、しかも該２個のケースフレーム10、11の相互に隣接する中間には、該回路板2を立てて設置する。
【００１６】
該各ガード壁101、111上には、それぞれ各収容設置槽100、111に対応し、連接口102、112を設置する。
【００１７】
これにより、各電池4上の電気的連接を担う導接部40は、それが対応する連接口102、112を通して、該回路板2と電気的に連接し、こうして各電池4統合の目的を達成する。
【００１８】
該回路板2は、２個の回路表面20、21を備え、内一方の表面20は該片側のケースフレーム10と相対し、もう一方の表面21は、該もう片側のケースフレーム11と相対する。
【００１９】
しかも、該２個の回路表面20、21上には、それぞれ２個のケースフレーム10、11上の連接口102、112に対応し、導接部品22を設置する。
【００２０】
これにより、各電池4の導接部40は、それが対応する連接口102、112を通過後、該回路板2上の各導接部品22と確実に電気的に連接する。
【００２１】
本考案第一実施例中において、該回路板2上の各導接部品22は、突出したコネクターで、２個のケースフレーム10、11上の各連接口102、112を通過する(図３参照)。
【００２２】
各電池4上の導接部40は、対応接続するコネクターである。
【００２３】
電池4が、２個のケースフレーム10、11の収容設置槽100、110内に設置されると、電池4の導接部40は、回路板2上の導接部品22と挿入して接続し、電気的連接を達成する。
【００２４】
本考案第一実施例中では、該２個のケースフレーム10、11は、相互に接続する型態で、該２個のケースフレーム10、11の上、下両側にさらに、それぞれ対応接続組合部品12を設置する。
【００２５】
該対応接続組合部品12は、一実施形態では、対応接続板120、複数の螺接部品121を備える。
【００２６】
該対応接続板120を、２個のケースフレーム10、11の上、下任意の側に渡して設置し、さらにネジ等の螺接部品121を対応接続板120に通す。
【００２７】
こうして、該２個のケースフレーム10、11上にそれぞれ螺合して固定し、これにより２個のケースフレーム10、11は相互に緊密に結合する。
【００２８】
別種の実施形態では、対応接続組合部品12’は、複数の挿入ピン122とそれぞれ相互に対応する複数の挿入孔123を備える。
【００２９】
しかも、該各挿入ピン122と該挿入孔123は、２個のケースフレーム10、11間、特に該２個のケースフレーム10、11のガード壁101、111上にそれぞれ位置する。
【００３０】
これにより、該２個のケースフレーム10、11は、該各挿入ピン122と該挿入孔123の通過固定作用により、相互に接続する目的を達成する。
【００３１】
さらに、該各挿入ピン122は、該回路板2上へとそれぞれ通過し、定位の効果を提供することもできる。
【００３２】
または、係合フックと溝（図示なし）などの対応方式、或いは接着材などによる粘着結合等方式により、相互に組み合わせて接続することもできる。
【００３３】
次に図６に合わせて示すように、該２個のケースフレーム10、11の任意の同一側には、半枠部103、113をそれぞれ設置する。
【００３４】
該２個のケースフレーム10、11を相対させて結合すると、該２個のケースフレーム10、11同一側の半枠部103、113は、取り囲んで、板形空間13を形成し、予備の回路板（図示なし）を収容設置することができる。
【００３５】
これにより、メンテナンスと交換の便を図り、板形空間13上は、蓋板3で蓋をし、これにより落下を防ぎ、或いは防塵等保護の作用を達成することができる。
【００３６】
蓋板3側縁上にはさらに、複数の突出状の螺合固定片30(図６参照)を増設し、これにより機体フレーム等設備に対応し、螺合して固定することができる。
【００３７】
該２個のケースフレーム10、11上にはさらに、複数の散熱孔104、114(図６参照)を設置する。
【００３８】
該各散熱孔104、114は、２個のケースフレーム10、11が接する位置の周縁上に分布し、または２個のケースフレーム10、11のガード壁101、111上に分布する。
【００３９】
これにより、各電池4及び回路板2が発する熱は、２個のケースフレーム10、11内よりゆっくりと外界へ排出される。
【００４０】
こうして、上記した構造を組み合わせることで、本考案エネルギー供給装置を構成する。
【００４１】
さらに、図３に合わせて示すように、該２個のケースフレーム10、11上には複数の収容設置槽100、110を設置するため、電池4を任意の収容設置槽100、110内に自由に設置することができる。
【００４２】
さらに、任意の収容設置槽100、110上から、設置する電池4を自由に取り外して交換することができるため、メンテナンス、修理等作業を行う際に便利である。
【００４３】
該回路板2の２個の回路表面20、21を通して、２個のケースフレーム10、11上の電池4は、向かい合って挿入する型態を呈する。
【００４４】
これにより、モジュール全体スペースの使用率を向上させ、こうしてパーツコストを引き下げる等の効果を達成することができる。
【００４５】
さらに、ノートＰＣ等の3C電子製品に応用する際には、２個のケースフレーム10、11は、相互に対称なモジュール化構造設計を通して、金型の使用寿命を延長することができ、こうして製品の開発コストを引き下げることもできる。
【００４６】
続いて、本考案の第二実施例である図４に示すように、該２個のケースフレーム10、11は、一体成型の型態で、２個のケースフレーム10、11間には、直立した板槽14を設置し、該板槽14内に該回路板2を立たせて挿入する。
【００４７】
しかも、該板槽14両側縁にはさらに、板縁係合溝140をそれぞれ設置する。
【００４８】
該回路板2を該板槽14内に挿入すると、回路板2両側の板縁位置は、ちょうど該２個の板縁係合溝140内にそれぞれ係合され、こうして回路板2は、該電池収容設置台1上に設置される。
【００４９】
次に、本考案の第三実施例である図５に示すように、回路板2上の各導接部品22は導接弾性片で、２個のケースフレーム10、11上の各連接口102、112を通過し、該各電池4上の導接部40と接触し、こうして電気的連接を達成する。
【００５０】
さらに図７に示すように、本考案は複数を積み重ねる方式により、電力上の統合をさらに拡充することができ、同時に、より大きい蓋板3’を組み合わせ、一体を形成する。
【００５１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００５２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００５３】
1  電池収容設置台
10  ケースフレーム
100  収容設置槽
101  ガード壁
102  連接口
103  半枠部
104  散熱孔
11  ケースフレーム
110  収容設置槽
111  ガード壁
112  連接口
113  半枠部
114  散熱孔
12  対応接続組合部品
12’  対応接続組合部品
120  対応接続板
121  螺接部品
122  挿入ピン
123  挿入孔
13  板形空間
14  板槽
140  板縁係合溝
2  回路板
20  回路表面
21  回路表面
22  導接部品
3  蓋板
3’  蓋板
30  螺合固定片
4  電池
40  導接部
【図１】
0003172194.tif 000003
【図２】
0003172194.tif 000004
【図３】
0003172194.tif 000005
【図４】
0003172194.tif 000006
【図５】
0003172194.tif 000007
【図６】
0003172194.tif 000008
【図７】
0003172194.tif 000009